(57)【要約】【課題】  評価対象システム１０１に於いて基準オーディオを提示することなく、オーディオ入力部１０２、伝送路１０６、受信復合部１０４、各々の性能特性に留意した評価対象システム１０１全体としてのオーディオ品質を自動的に絶対評価する。【解決手段】  マーカ挿入部１５２は、オーディオ入力部１０２が送信するオーディオデータに該オーディオデータの再生予定時刻を特定するマーカデータを挿入し、品質評価部１５３は、受信したオーディオデータから上記マーカデータを検出し、該マーカデータに基づいて所定のオーディオ品質を算出する。【選択図】        図１
2007312190.tif 000002
【特許請求の範囲】
【請求項１】
オーディオストリーミングシステムに於けるオーディオ品質評価装置であって、
送信側が送信するオーディオデータに該オーディオデータの再生予定時刻を特定可能なマーカデータを挿入するマーカデータ挿入部と、
受信したオーディオデータから前記マーカデータを検出し、該マーカデータに基づいて所定のオーディオ品質を算出する品質評価部とを備えることを特徴とするオーディオ品質評価装置。
【請求項２】
前記マーカデータは、
前記オーディオデータのフレーム番号であることを特徴とする請求項１に記載のオーディオ品質評価装置。
【請求項３】
前記マーカデータは、
前記再生予定時刻を特定可能な情報を複数個含む冗長データであることを特徴とする請求項１に記載のオーディオ品質評価装置。
【請求項４】
前記マーカデータは、
複数チャンネルのオーディオデータの内、特定チャンネルのデータに置き換えて挿入されることを特徴とする請求項１に記載のオーディオ品質評価装置。
【請求項５】
前記所定のオーディオ品質は、
コンテンツ端でのフレームロス数の算出に基づく、コンテンツの始端近傍、又はコンテンツの終端近傍に於ける再生ロス時間であることを特徴とする請求項１に記載のオーディオ品質評価装置。
【請求項６】
前記所定のオーディオ品質は、
前記マーカデータの連続性の検査に基づく再生ロス時間であることを特徴とする請求項１に記載のオーディオ品質評価装置。
【請求項７】
前記所定のオーディオ品質は、
前記マーカデータの連続性の検査に基づく再生不連続回数であることを特徴とする請求項１に記載のビデオ品質評価装置。
【請求項８】
前記所定のオーディオ品質は、
前記マーカデータの連続性の検査に基づく再生戻り回数であることを特徴とする請求項１に記載のオーディオ品質評価装置。
【請求項９】
前記所定のオーディオ品質は、
前記マーカデータに基づく再生予定時刻と実際の時刻経過との比較に基づく再生時間伸縮率であることを特徴とする請求項１に記載のオーディオ品質評価装置。
【請求項１０】
オーディオストリーミングシステムに於けるオーディオ品質監視装置であって、
オーディオデータの再生予定時刻を特定可能なマーカデータが挿入されたオーディオデータを受信し、該オーディオデータから前記マーカデータを検出し、該マーカデータに基づいて所定のオーディオ品質を算出することを特徴とするオーディオ品質監視装置。
【請求項１１】
前記所定のオーディオ品質劣化が、予め定められているレベルを超えるとアラームを発報することを特徴とする請求項１０に記載のオーディオ品質監視装置。
【請求項１２】
請求項１０に記載のオーディオ品質監視装置が、前記オーディオストリーミングシステムを構成する少なくとも１つのノードに接続されることを特徴とするオーディオ品質監視システム。
【請求項１３】
オーディオストリーミングシステムに於けるオーディオ品質監視システムであって、
送信側が送信するオーディオデータに該オーディオデータの再生予定時刻を特定可能なマーカデータを挿入するマーカデータ挿入部と、
受信したオーディオデータから前記マーカデータを検出し、該マーカデータに基づいて所定のオーディオ品質を算出する品質評価部とを備えることを特徴とするオーディオ品質監視システム。
【請求項１４】
前記品質評価部は、前記所定のオーディオ品質の劣化が、予め定められているレベルを超えるとアラームを発報することを特徴とする請求項１３に記載のオーディオ品質監視システム。
【請求項１５】
前記マーカデータは、
前記オーディオデータのフレーム番号であることを特徴とする請求項１３に記載のオーディオ品質監視システム。
【請求項１６】
前記マーカデータは、
前記再生予定時刻を特定可能な情報を複数個含む冗長データであることを特徴とする請求項１３に記載のオーディオ品質監視システム。
【請求項１７】
前記マーカデータは、
複数チャンネルのオーディオデータの内、特定チャンネルのデータに置き換えて挿入されることを特徴とする請求項１３に記載のオーディオ品質監視システム。
【請求項１８】
前記所定のオーディオ品質は、
コンテンツ端でのフレームロス数の算出に基づく、コンテンツの始端近傍、又はコンテンツの終端近傍に於ける再生ロス時間であることを特徴とする請求項１３に記載のビデオ品質監視システム。
【請求項１９】
前記所定のオーディオ品質は、
前記マーカデータの連続性の検査に基づく再生ロス時間であることを特徴とする請求項１３に記載のオーディオ品質監視システム。
【請求項２０】
前記所定のオーディオ品質は、
前記マーカデータの連続性の検査に基づく再生不連続回数であることを特徴とする請求項１３に記載のオーディオ品質監視システム。
【請求項２１】
前記所定のオーディオ品質は、
前記マーカデータの連続性の検査に基づく再生戻り回数であることを特徴とする請求項１３に記載のオーディオ品質監視システム。
【請求項２２】
前記所定のオーディオ品質は、
前記マーカデータに基づく再生予定時刻と実際の時刻経過との比較に基づく再生時間伸縮率であることを特徴とする請求項１３に記載のオーディオ品質監視システム。
【発明の詳細な説明】
【技術分野】
【０００１】
本発明は、オーディオストリーミングシステムに於ける、オーディオ品質評価装置、オーディオ品質監視装置、及びオーディオ品質監視システムに関する。
【背景技術】
【０００２】
オーディオデータを実時間で伝送し、それを実時間で受信再生させるオーディオストリーミングシステムでは、以下に記載する３つの要因によってオーディオ品質の劣化が発生する。
要因１
送信装置の性能劣化により正しいオーディオデータが予定された送信タイミングで送信されない場合。即ち、送信装置にオーディオ品質の劣化要因が含まれている場合。
要因２
伝送路において、遅延ジッタ、パケットロス等が発生し、正しいオーディオデータが予定された伝送時間で伝送路を伝送されない場合。即ち、伝送路にオーディオ品質の劣化要因が含まれている場合。
要因３
受信装置の性能劣化により正しいオーディオデータが予定された再生タイミングで再生されない場合。即ち、受信装置にオーディオ品質の劣化要因が含まれている場合。
【０００３】
従って、オーディオストリーミングシステムの性能を正しく評価するには、送信装置、伝送路、受信装置、各々の性能特性に留意したオーディオ品質の計測が必要になる。又、オーディオストリーミングシステムが、予定されている性能品質を維持しているか否かの監視にも、同様のオーディオ品質計測が必要になる。
【０００４】
ＩＴＵ−Ｒ勧告ＢＳ．１１１６には、オーディオ品質を計測する際の主観的評価方法が開示されている。ＢＳ．１１１６では、送信前の基準オーディオと、受信後の再生オーディオの両者を提示し、評価者が評価点数をつけることにより、基準オーディオと再生オーディオとの評価点数の差によりオーディオ品質を絶対評価する。この方法では、基準オーディオと再生オーディオの両者を同一場所で比較評価する必要がある。
【非特許文献１】ＩＴＵ−Ｒ勧告ＢＳ．１１１６
【発明の開示】
【発明が解決しようとする課題】
【０００５】
上記従来のオーディオ品質評価方法には、以下に記す解決すべき課題が残されていた。（１）基準オーディオと再生オーディオとを同一場所で比較評価することが困難であるため、オーディオストリーミングシステムのように送信場所と受信場所とが異なるビデオ品質評価には適していない。（２）評価者の主観的評価に基づく評価方法なので評価精度を高めるためには、多くの評価者を必要とし、評価コストが増大する。
【課題を解決するための手段】
【０００６】
本発明は、オーディオストリーミングシステムに於けるオーディオ品質評価装置であって、送信側が送信するオーディオデータに該オーディオデータの再生予定時刻を特定可能なマーカデータを挿入するマーカデータ挿入部と、受信したオーディオデータから上記マーカデータを検出し、該マーカデータに基づいて所定のオーディオ品質を算出する品質評価部とを備えることを主要な特徴とする。
【発明の効果】
【０００７】
本発明によれば、送信側が送信するオーディオデータに該オーディオデータの再生予定時刻を特定可能なマーカデータを挿入するマーカデータ挿入部と、受信したオーディオデータから上記マーカデータを検出し、該マーカデータに基づいて所定のオーディオ品質を算出する品質評価部とを備えることによって、オーディオ品質（フレームロス、再生時間の伸縮性、再生フレームの連続性、コンテンツ端ロス等）を客観的に実時間で算出することが可能になる。その結果、基準オーディオを提示することなく、送信装置、伝送路、受信装置、各々の性能特性に留意したオーディオストリーミングシステム全体としてのオーディオ品質を自動的に絶対評価出来るという効果を得る。又、従来の主観的評価方法のように多数の評価者を必要としないので、評価コスト、及び、評価時間を低減できるという効果を得る。
【発明を実施するための最良の形態】
【０００８】
発明を実施するための最良の形態について以下に説明する。
【実施例１】
【０００９】
図１は、実施例１のオーディオ品質評価システムのシステム構成図である。
図に示すように本実施例のオーディオ品質評価システム１００は、評価対象システム１０１と、オーディオ品質評価装置１５１とを含む。
評価対象システム１０１は、オーディオ入力部１０２と、符号化送信部１０３と、受信復号部１０４と、スピーカ１０５と、伝送路１０６とを備え、オーディオ品質評価装置１５１は、マーカ挿入部１５２と、品質評価部１５３とを備える。以下にオーディオデータの生成からオーディオ品質の評価まで、オーディオデータの流れに沿って、上記各部分の構成と機能とを合わせて説明し、実施例１のオーディオ品質評価システムの内容を明らかにする。
【００１０】
オーディオ入力部１０２は、マイクやＤＶＤプレーヤーを内蔵し、一例としてサンプリング周波数が４８ＫＨｚ、２チャンネル、量子化１６ビット／チャンネルのディジタルのオーディオデータを生成する。このオーディオデータは、オーディオデータ（１）として通常は符号化送信部１０３へ送出される。但し、評価対象システム１０１と、オーディオ品質評価装置１５１とが結合して利用される場合には、オーディオデータ（１）は、オーディオ入力部１０２からマーカ挿入部１５２を経由して符号化送信部１０３へ送出され、直接符号化送信部１０３へ送出されることは無くなる。
【００１１】
符号化送信部１０３は、オーディオ入力部１０２からオーディオデータ（１）を受入れて、又は、マーカ挿入部１５２からオーディオデータ（２）を受入れて、符号化し、更に符号化データを蓄積し、伝送路１０６に対応する伝送パケット１０７を構成し、伝送路１０６を介して受信復号部１０４へ送信する部分である。
【００１２】
マーカ挿入部１５２は、オーディオ入力部１０２から２チャンネルからなるオーディオデータ（１）を受入れると、一方のチャンネルのデータを破棄し、そこに以下に説明するオーディオマーカデータを上書きしてマーカチャンネルを生成する。このマーカチャンネルに、オーディオデータの再生予定時刻を特定可能なマーカデータを挿入し、オーディオデータ（２）として符号化送信部１０３へ送出する。以下にマーカ挿入部１５２が、オーディオデータに対してオーディオマーカデータを挿入する機能について説明する。
【００１３】
図２は、オーディオマーカデータの説明図である。
この図は、オーディオマーカデータの構成を示す図である。図に示すように、オーディオマーカデータ１５２−１は、０．４ｍｓ幅を有する２４ビットから構成される。各ビットのデータ値は以下の定義に基いて設定される。
定義（１）
０．４ｍｓ周期の各ビットの境界で必ず極性を反転させることとする。
定義（２）
ビット値が１の場合に限って、上記０．４ｍｓ周期の各ビットの中央でも反転させることとする。即ち、ビット値が０の場合には各ビットの中央では反転させない。
定義（３）
オーディオマーカデータ相互間の間隔は０．８ｍｓ以上とする。
【００１４】
上記定義に基づいて、図２（ａ）のデータ値を信号レベル（Ｈ、Ｌ）で表すと図２（ｂ）のように表される。図２（ｂ）に示すように０．４ｍｓ周期の各ビットの境界で必ず極性が反転されている（定義１）。また、ビット値が１の場合には、ビットの中央（０．２ｍｓ）で極性が反転されている（定義２）。更に、オーディオマーカデータ相互間の間隔は０．８ｍｓ以上である（定義３）。
【００１５】
マーカ挿入部１５２（図１）はオーディオ入力部１０２からオーディオデータ（１）を受入れると、１／２９．９７秒毎に上記定義に基づいてオーディオマーカデータ１５２−１（図２）を生成する。２４ビットのオーディオマーカデータ１５２−１は、上記マーカチャンネルの１オーディオフレームの中に挿入される。オーディオマーカデータ１５２−１は、オーディオデータの再生予定時刻を特定可能なマーカデータの一例として、そのオーディオフレームのフレーム番号ｆｎが挿入される。このフレーム番号ｆｎは、１／２９．９７秒経過毎にインクリメントされる。従って、出力側では、受信したオーディオデータからこのフレーム番号ｆｎを取得することによって、そのオーディオフレームが入力側から送信された送信タイミング（及び再生予定時刻）を特定出来ることになる。又、０．４ｍｓ毎のデータ変化点を検出し、その０．４ｍｓの中間に別のデータ変化点が検出されればデータ値１を認識できるのでフレーム番号ｆｎを読み出すことが可能になる。
【００１６】
このように構成されるオーディオマーカデータ１５２−１に基づいて、出力側では、そのオーディオフレームが入力側から送信された送信タイミング（及び再生予定時刻）を特定することが出来るので、オーディオ品質評価システム１００（図１）中におけるオーディオデータの欠損などを認識することが可能になる。
【００１７】
マーカチャンネルにオーディオマーカデータ１５２−１（図２）が挿入されたオーディオデータは、マーカ挿入部１５２（図１）によってオーディオデータ（２）として符号化送信部１０３（図１）へ送出される。符号化送信部１０３（図１）は、上記のように、このオーディオデータ（１）、又はオーディオデータ（２）を符号化し、更に符号化データを蓄積し、伝送パケット１０７を構成し、伝送路１０６を介して受信復号部１０４へ送信することになる。
【００１８】
図１に戻って、受信復号部１０４は、伝送路１０６を介して符号化送信部１０３から伝送パケット１０７を受信して復号化し、オーディオデータ（３）としてスピーカ１０５と、品質評価部１５３へ送出する部分である。スピーカ１０５は、オーディオデータ（３）を受入れて音響再生し、所定の目的に供する部分である。伝送路１０６は、例えばインターネット網などのようにディジタルのオーディオデータを伝送可能なネットワークである。
【００１９】
品質評価部１５３は、受信復号部１０４からオーディオデータ（３）を受入れて、上記オーディオマーカデータ１５２−１（図２）を検出し、該オーディオマーカデータ１５２−１（図２）に基づいて後に説明する品質データを算出して出力する部分である。品質評価部１５３の詳細な構成とその機能について以下に説明する。
【００２０】
図３は、品質評価部の構成図である。
図に示すように品質評価部１５３は、オーディオキャプチャ部１５３−１と、マーカ読出部１５３−２と、品質計算部１５３−３と、品質出力部１５３−４とを有する。
【００２１】
オーディオキャプチャ部１５３−１は、オーディオデータ（３）を受入れて、オーディオデータ（マーカチャンネル）を取得し、マーカ読出部１５３−２へ出力する部分である。マーカ読出部１５３−２は、オーディオキャプチャ部１５３−１からオーディオデータ（マーカチャンネル）を受入れて、オーディオマーカデータ１５２−１（図２）を読み出して品質計算部１５３−３へ送出する部分である。
【００２２】
品質計算部１５３−３は、マーカ読出部１５３−２から受入れた各マーカデータのビット値に基づいて、以下に記載する品質データを計算し、品質出力部１５３−４へ送出する部分である。品質計算部１５３−３によって計算される品質データの詳細について以下に説明する。
【００２３】
＜１＞コンテンツ端での再生ロス時間が計算される。
コンテンツの始端、及びコンテンツの終端のフレーム番号（又は再生予定時刻）が予め分かっている場合には、フレーム番号（又は再生予定時刻）を追跡することによって、コンテンツの始端近傍、又はコンテンツの終端近傍での再生ロス時間が計算される。
【００２４】
＜２＞再生ロス時間が計算される。
フレーム番号（マーカデータ値）の連続性を検査することによって、伝送路１０６（図１）などでロスされ、再生出来なかった時間間隔が時系列的に計算される。
【００２５】
＜３＞再生不連続回数が計算される。
フレーム番号（マーカデータ値）の連続性を検査することによって、フレーム番号（マーカデータ値）が不連続になる場合の回数が時系列的に計算される。
【００２６】
＜４＞再生戻り回数が計算される。
フレーム番号（マーカデータ値）の連続性を検査することによって、時系列的にフレーム番号（マーカデータ値）の進行が逆転する場合の回数が時系列的に計算される。
【００２７】
＜５＞再生時間伸縮率が計算される。
フレーム番号（マーカデータ値）から特定される再生予定時刻と実際の時刻経過との比較により、本来の再生予定時刻に比べ、再生が進んでいるか、遅れているかが時系列的に計算される。
以上＜１＞〜＜５＞の内容が品質データとして品質計算部１５３−３から品質出力部１５３−４へ送出される。
【００２８】
品質出力部１５３−４は、品質計算部１５３−３から品質データを受入れて蓄積し、同時に、図示しない外部モニタ等に出力表示する部分である。その表示について以下に説明する。
【００２９】
図４は、品質出力部の動作説明図である。
図は、Ｘ軸方向に測定開始からの経過時間を表し、Ｙ軸方向に、一例として品質出力部１５３−４（図３）から受入れたロス時間の時系列的変化を棒グラフで表している。他の品質データについても、同様に表示することが可能である。これらの品質データに基づいて、評価対象システム１０１（図１）のビデオ品質が確認される。図中アラーム発報閾値は、後記実施例２の説明で用いることになる。
【００３０】
以上説明したように、本実施例によれば、評価対象システムの送信側に於いて、オーディオデータのマーカチャンネルにマーカデータを挿入し、受信側では、オーディオデータのマーカチャンネルからこのマーカデータを検出し、オーディオ品質（再生ロス時間、再生時間の伸縮性、再生の連続性、コンテンツ端ロス等）を客観的に実時間で計算することが可能になるという効果を得る。従って、基準オーディオを提示することなく、送信装置、伝送路、受信装置、各々の性能特性に留意したオーディオストリーミング全体のオーディオ品質を自動的に絶対評価出来るという効果を得る。又、従来の主観評価方法のように多数の評価者を必要としないので、評価コスト、及び、評価時間を低減できるという効果を得る。
【実施例２】
【００３１】
上記実施例１では、図１に示したようにオーディオ入力部１０２から送信されるオーディオデータを伝送路１０６を介して特定のスピーカ１０５で再生する場合に於けるオーディオ品質評価システムを構成した。本実施例では、このシステムを基にして、オーディオ入力部１０２から送信されるオーディオデータを、伝送路１０６を介して複数（不特定多数を含む）のスピーカで再生する場合に於けるオーディオ品質評価システムを構成する。
【００３２】
図５は、実施例２のオーディオ品質評価システムのシステム構成図である。
図に示すように本実施例のオーディオ品質評価システム２００は、評価対象システム２０１と、オーディオ品質監視装置２５１とを含む。このオーディオ品質監視装置２５１は、評価対象システム２０１の伝送路上の任意の場所（通常は各ノードの位置）に設けられる。その結果、任意の場所に設けられるオーディオ品質監視装置２５１によってその近傍一帯に於けるオーディオ品質の監視が可能になる。図ではオーディオ品質監視装置２５１は、１箇所のみに設けられているが、これは、内容説明のための一例であって、本発明を限定するものではない。
【００３３】
評価対象システム２０１は、オーディオ入力部２０２と、マーカ挿入部２０３と、符号化送信部２０４と、オーディオ受信端末２０５−１〜２０５−ｎと、スピーカ２０６−１〜２０６−ｎとを備え、オーディオ品質監視装置２５１は、オーディオ受信端末２５２と、品質評価部２５３とを備える。以下にオーディオデータの生成からオーディオ品質の評価まで、オーディオデータの流れに沿って、上記各部分の構成と機能とを合わせて説明し、実施例２のオーディオ品質評価システムの内容を明らかにする。以下の各構成部分の説明では実施例１と異なる部分を明確にし、実施例１と同一の機能については、その詳細説明を省略する。
【００３４】
オーディオ入力部２０２は、実施例１のオーディオ入力部１０２（図１）と同様に、マイク、又はＤＶＤプレーヤー等を内蔵し、一例としてサンプリング周波数が４８ＫＨｚ、２チャンネル、量子化１６ビット／チャンネルのディジタルのオーディオデータを生成する。このオーディオデータは、オーディオデータ（１）としてマーカ挿入部２０３へ送出される。実施例１とは異なり、オーディオデータ（１）が、直接符号化送信部２０４へ送出されることは無くなる。
【００３５】
マーカ挿入部２０３は、実施例１のマーカ挿入部１５２（図１）と同様に、オーディオ入力部２０２からオーディオデータ（１）を受入れると、１／２９．９７秒毎にオーディオマーカデータ１５２−１（図２）を生成する。２４ビットのオーディオマーカデータ１５２−１は、上記マーカチャンネルの１オーディオフレームの中に挿入される。オーディオマーカデータ１５２−１は、一例として、そのオーディオフレームのフレーム番号ｆｎを表している。このフレーム番号ｆｎは、１／２９．９７秒経過毎にインクリメントされる。従って、出力側では、受信したオーディオデータからこのフレーム番号ｆｎを取得することによって、そのオーディオフレームが入力側から送信された送信タイミング（及び再生予定時刻）を特定出来ることになる。又、０．４ｍｓ毎のデータ変化点を検出し、その０．４ｍｓの中間に別のデータ変化点が検出されればデータ値１を認識できるのでフレーム番号ｆｎを読み出すことが可能になる。
【００３６】
このように構成されるオーディオマーカデータ１５２−１に基づいて、出力側では、そのオーディオフレームが入力側から送信された送信タイミング（及び再生予定時刻）を特定することが出来るので、オーディオ品質評価システム２００中におけるオーディオデータの欠損などを認識することが可能になる。
【００３７】
但し、実施例１のマーカ挿入部１５２（図１）は、評価対象システム１０１（図１）の構成要素には含まれず、オーディオ品質評価装置１５１（図１）に含まれていたが、本実施例では、マーカ挿入部２０３は、評価対象システム２０１の構成要素となっている。従って、上記のようにオーディオデータ（１）は、全て、マーカ挿入部２０３を経由して符号化送信部２０４へ送出されることになる。マーカ挿入部２０３が、オーディオデータに対してオーディオマーカデータを挿入する機能については実施例１と同様なので説明を省略する。
【００３８】
実施例１と同様に構成されたオーディオマーカデータ１５２−１（図２）が挿入されたオーディオデータは、オーディオデータ（２）として符号化送信部２０４へ送出される。符号化送信部２０４は、上記のように、このオーディオデータ（２）、を符号化し、更に符号化データを蓄積し、伝送パケット１０７を構成し、伝送路１０６を介してオーディオ受信端末２０５−１〜２０５−ｎ、及びオーディオ受信端末２５２へ送信することになる。実施例１の符号化送信部１０３（図１）との相違点は、オーディオデータ（１）をオーディオ入力部２０２から受入れることが無くなる点のみである。
【００３９】
オーディオ受信端末２０５−１〜２０５−ｎは、伝送路１０６を介して符号化送信部２０４から伝送パケット１０７を受信してオーディオデータに復号化し、スピーカ２０６−１〜２０６−ｎへ送出する部分である。スピーカ２０６−１〜２０６−ｎは、オーディオ受信端末２０５−１〜２０５−ｎからオーディオデータを受入れて再生し、所定の目的に供する部分である。ここで、オーディオ受信端末２０５−１〜２０５−ｎとスピーカ２０６−１〜２０６−ｎとは、同一符号同士が１対１で接続されている。
【００４０】
オーディオ品質監視装置２５１を構成するオーディオ受信端末２５２は、伝送路１０６を介して符号化送信部２０４から伝送パケット１０７を受信してオーディオデータに復号化し、品質評価部２５３へオーディオデータ（３）として送出する部分である。ここで、オーディオ受信端末２５２は、伝送路１０６中に配設されている図示しない所定のノードと接続されている。伝送路１０６は、例えばインターネット網などのようにオーディオデータを伝送可能なネットワークである。
【００４１】
品質評価部２５３は、オーディオ受信端末２５２からオーディオデータを受入れて、上記オーディオマーカデータ１５２−１（図２）を検出し、該オーディオマーカデータ１５２−１（図２）に基づいて、実施例１の品質評価部１５３（図１）と同様に品質データを算出して出力する部分である。品質評価部２５３の詳細な構成とその機能は、実施例１の品質評価部１５３（図１）と同様なので説明を省略する。実施例１の品質評価部１５３（図１）と異なる点は、品質データの値が図４に示すアラーム発報閾値を越えるとアラーム情報を発報する機能を有している点のみである。
【００４２】
以上説明したように、本実施例では、評価対象システム２０１（図５）の伝送路１０６（図５）の任意の場所（通常は各ノードの位置）にオーディオ品質監視装置２５１（図５）を設けている。このオーディオ品質監視装置２５１（図５）は、実施例１のオーディオ品質評価装置１５１（図１）と同様にオーディオデータ中からオーディオマーカデータ１５２−１（図２）を検出し、オーディオ品質を実時間で計算する。その結果、オーディオ品質監視装置２５１（図５）が配置された位置の近傍一帯に於ける、実施例１と同様なオーディオ品質情報が取得可能になるという効果を得る。
【００４３】
又、送信装置、伝送路の何れかに動作異常が発生した場合には、オーディオ品質に通常とは異なるデータが観測される。例えば、伝送路が輻輳した場合、再生ロス時間が増大するので、オーディオ品質データから異常を認識することが出来る。従って、従来技術とは異なり、基準オーディオを提示することなく、送信装置、伝送路、各々の性能特性に留意した、オーディオ品質を自動監視し、必要に応じてアラームを発報できるという効果を得る。
【産業上の利用可能性】
【００４４】
実施例では、１つのオーディオチャンネルをマーカデータ専用に利用する場合について説明したが、オーディオデータの可聴領域又は不可聴領域にマーカデータを挿入しても、実施例と同様の効果を得ることが出来る。可聴領域を利用する場合には、例えばマーカ挿入部が、高音域（２０ＫＨｚ前後）ノイズをオーディオデータに重畳し、マーカデータの値に応じて、該ノイズの位相を変化させるように構成し、品質評価部が、該ノイズの位相を検出し、マーカデータに変換できるようにしても良い。また、不可聴領域を利用する場合には、マーカ挿入部が、マーカデータを従来から公知の電子透かし方法により電子透かし情報をオーディオデータに埋め込むように構成し、品質評価部が、該電子透かし情報を検出してマーカデータに変換するように構成しても良い。
【００４５】
又、実施例では、マーカとして挿入する情報をフレーム番号に限定して説明したが、本発明はこの例に限定されるものではない。即ち、オーディオデータの再生予定時刻に対応するものであれば、他の情報を用いても良い。又、品質評価部でのマーカ検出精度を高めるため、マーカとして挿入する情報として、再びフレーム番号を挿入したり、オーディオコンテンツ終了までの残りフレーム数を追加して挿入しても良い。こうすることによって、マーカデータが冗長に構成されることになるので、品質評価部に於いてマーカ検出結果に異常が発生した場合に、追加挿入された冗長データにより、異常か否かを判断し、その値を補正させることが可能になる。
【００４６】
又、実施例では、オーディオマーカデータをオーディオデータとして表現する場合に、上記、定義（１）、定義（２）、定義（３）を定めているが、本発明は、この例に限定されるものではない。即ち、マーカデータを特定出来る構成で有れば他の構成であっても良い。又、オーディオマーカデータのビット数を２４ビットに固定して説明したが本発明は、この例に限定されるものではない。即ち、オーディオストリーミングシステムで適用するオーディオコンテンツの時間長に応じてビット数を増減しても良い。
【図面の簡単な説明】
【００４７】
【図１】実施例１のオーディオ品質評価システムのシステム構成図である。
【図２】オーディオマーカデータの説明図である。
【図３】品質評価部の構成図である。
【図４】品質出力部の動作説明図である。
【図５】実施例２のオーディオ品質評価システムのシステム構成図である。
【符号の説明】
【００４８】
１００    オーディオ品質評価システム
１０１    評価対象システム
１０２    オーディオ入力部
１０３    符号化送信部
１０４    受信復号部
１０５    スピーカ
１０６    伝送路
１０７    伝送パケット
１５１    オーディオ品質評価装置
１５２    マーカ挿入部
１５３    品質評価部
【図１】
2007312190.tif 000003
【図２】
2007312190.tif 000004
【図３】
2007312190.tif 000005
【図４】
2007312190.tif 000006
【図５】
2007312190.tif 000007